(57)【要約】【課題】外付けの付属装置を接続可能であり、付属装置を接続する接続面に開口部を有し、開口部を被覆あるいは開放する開閉扉を有する画像形成装置において、開閉扉の開閉のために必要とする面積が小さく、付属装置を接続したときのジャム処理の作業性の良い画像形成装置を提供する。【解決手段】開閉扉を開閉する際に開閉扉を接続面に平行な方向に案内する案内手段を配置する。【選択図】図６
2009014969.tif 000002
【特許請求の範囲】
【請求項１】
外付けの付属装置を接続可能な、周囲を被装部材にて被装された画像形成装置であり、
前記被装部材の前記付属装置を接続する接続面に開口部を有し、
該開口部を被覆あるいは開放する開閉扉と、
前記開閉扉の開閉に際し、前記開閉扉を前記接続面に平行な方向に案内する案内手段と、
を有することを特徴とする画像形成装置。
【請求項２】
前記案内手段は、前記開閉扉を前記開口部を被覆した位置から移動する際に、前記接続面に平行な方向に案内するに先だって前記接続面に交差する方向に案内するものであることを特徴とする請求項１に記載の画像形成装置。
【請求項３】
前記開閉扉は、前記画像形成装置の機構部が配されたものであることを特徴とする請求項１または２に記載の画像形成装置。
【請求項４】
前記開閉扉は少なくとも一つの折り曲げ部を有し、該折り曲げ部で折り曲げ可能であることを特徴とする請求項１または２に記載の画像形成装置。
【発明の詳細な説明】
【技術分野】
【０００１】
本願発明は、外付けの付属装置を接続可能で、記録紙のジャム処理などに利用される開口部を被覆あるいは開放する開閉扉を有する複写機、プリンタ等の画像形成装置に関する。
【背景技術】
【０００２】
帯電されている感光体ドラムの表面に静電潜像を形成し、次いで、現像装置により前記静電潜像をトナー像とし、記録紙に転写した後に定着装置により定着するプロセスの画像形成装置はよく知られている。
【０００３】
画像形成装置は、画像形成装置を構成する各機構部の保護、および、ユーザの安全面の配慮から、外周面を被装部材にて被装して構成される。
【０００４】
かかる構成の画像形成装置においては、所定の機構部をたどり搬送される記録紙が、機構部の内部、あるいは隣接する機構部の間で詰まる現象、いわゆる、ジャムが発生することがある。ジャムが発生すると、通常、画像形成装置の画像形成動作が停止し、ユーザにより詰まった記録紙が除去されると画像形成動作が再開される。このような、ジャムが発生した際にユーザが行う詰まった記録紙を除去する行為を、以下、ジャム処理と記することにする。
【０００５】
通常、被装部材の記録紙の搬送に係る機構部に対向する部位には、開口部が配され、開口部には、開口部を被覆した位置と開口部を開放した位置とを移動可能な部材が配される。以下、開口部を被覆した位置と開口部を開放した位置とを移動可能な部材を開閉扉と称することにする。
【０００６】
開閉扉は、通常の画像形成時には開口部を被覆する位置に配置しておき、ユーザが必要とするとき開口部を開放する位置に配置することができる。例えば、ジャムが発生したときには開口部を開放して、ユーザは開口部から露呈された機構部から詰まった記録紙を除去すること、すなわちジャム処理を行うことができる。
【０００７】
従来の画像形成装置においては、開閉扉は蝶番を介して画像形成装置に配され、蝶番を回動中心にして回動可能な扉の形態に構成される。
【０００８】
図１４は、従来の画像形成装置における記録紙搬送に係る機構部の配置を示す概念図である。図示された画像形成装置にては、画像形成済みの記録紙を図示左側に排紙するように、装置内部の各機構部が構成、配置されており、画像形成装置の図示右側に記録紙を給紙する給紙機構部が、図示左側に記録紙を排紙する排紙機構部が配される。記録紙収納部に収納された記録紙は、図示右側の給紙機構部にて給紙されて、画像形成装置の中央部に配置された画像形成／定着部にてトナー像の転写、定着を経て、図示左側の排紙機構部を経て排紙される。
【０００９】
このような画像形成装置においては、給紙機構部および排紙機構部にて発生する記録紙のジャムの処理に便なように、図示右側の側面部と、排紙機構部配置部位である図示左側の側面部に開口部を配するとともに、それぞれの開口部に開閉扉を蝶番機構を介して配している。蝶番機構を介して画像形成装置に配された開閉扉は、ユーザが蝶番機構部を軸にして回動することにより開閉することができる。
【００１０】
図示破線は、画像生成装置の左右に蝶番機構を介して配した２つの開閉扉を開いた状態を示す。図示されるように、蝶番機構を介して配した開閉扉の開閉に際しては、２つの開閉扉が蝶番機構部を軸にして回動することを阻害しない空間を確保しておくことが必要とされる。すなわち、画像形成装置の設置に際して、開閉扉の回動のための面積を確保しておく必要がある。
【００１１】
ところで、複写機やプリンター、ファックス等の画像形成装置においては、外付けの付属装置を接続することにより、大量の画像形成を効率よく実行できるように構成されたものがある。外付けの付属装置としては、例えば、大量の記録紙を収納する大容量給紙装置や、画像形成された記録紙に穴明け加工や綴じ加工を行うフィニッシャー等があり、画像形成装置はこれらの付属装置と連動して大量の画像形成を効率よく実行できる。これらの外付けの付属装置は、画像形成装置の記録紙搬送機構部との動作の連係を容易に部位に接続される。例えば、大容量給紙装置等の記録紙の収納に係る装置は、給紙機構部の近傍に接続され、また、フィニッシャー等の記録紙の後処理に係る装置は、画像形成装置の排紙機構部の近傍に接続される。
【００１２】
図１５は、画像形成装置に、外付けの装置を接続した状態を示す概念図である。図１５（ａ）は画像形成装置に大量の記録紙を収納する装置である大容量給紙装置、および、画像形成された記録紙に穴明け加工や綴じ加工を行う装置であるフィニッシャーが接続されている状態を示す。
【００１３】
大容量給紙装置は、画像形成装置の給紙機構部と効率よく連係して動作させるために、画像形成装置の給紙機構部の近傍の図示右側の側面に接続される。以下、画像形成装置における付属装置を接続する面を接続面と称することにする。したがって、大容量給紙装置は、画像形成装置の図示右側の接続面に接続されることになる。
【００１４】
また、フィニッシャーは画像形成装置内の排紙機構部と効率よく連係して動作させるために、画像形成装置の排紙機構部近傍の図示左側の側面部に対向して接続される。すなわち、フィニッシャーは、画像形成装置の図示左側の接続面に接続されることになる。
【００１５】
前述のように、従来の画像形成装置における給紙機構部および排紙機構部にて発生する記録紙のジャムの処理に便なように、図示右側の側面部と、排紙機構部配置部位である図示左側の側面部に開口部を配するとともに、それぞれの開口部に開閉扉を蝶番機構を介して配している。画像形成装置の左右の側面部、すなわち付属装置を接続する接続面には開口部が配され、それぞれの開口部には開閉扉が蝶番機構を介して配されている。
【００１６】
外付けの付属装置を接続した場合、画像形成装置の接続面に配した開口部や開閉扉が対向する付属装置に塞がれてしまうため、給紙機構部にてジャムが発生したときの処理や部品メンテナンス時の作業性を低下させるおそれがあった。
【００１７】
例えば、大容量給紙装置を接続されているときに給紙機構部にて記録紙のジャムが発生し、ジャム処理に際して図示右側の接続面に配した開閉扉を開く必要があるときに、開閉扉は大容量給紙装置に阻害されて開くことができないので、大容量給紙装置を、開閉扉を開くのに支障のない位置まで移動させることをユーザに強いることになり、作業性を低下させる。
【００１８】
同様に、フィニッシャーを接続した場合に排紙機構部にて記録紙のジャムが発生したときには、フィニッシャーを、図示左側の接続面に配した開閉扉を開くのに支障のない位置まで退避させることをユーザに強いることになる。図１５（ｂ）は、左右側面の開閉扉を開くのに支障のない位置まで大容量給紙装置やフィニッシャーを退避させた状態を示す図である。
【００１９】
このように、左右側面の開閉扉を開くのに支障のない位置まで大容量給紙装置やフィニッシャーを移動させるための空間を必要とするので、画像形成装置の設置面積の増大化を招くとともに、ジャム処理に際して、開閉扉を開くのに支障のない位置まで大容量給紙装置やフィニッシャーを移動させる必要があり、ジャム処理の作業性を低下させる。
【００２０】
ところで、開閉扉を、開閉扉の表面に平行な方向に移動させて開閉する方式、いわゆる引き戸式で開閉する画像形成装置の構造技術が提案されている（特許文献１）。引き戸式の開閉扉は蝶番機構部を軸にして回動する形態の開閉扉と比較して、開閉に必要なスペース、空間を小さくすることができる。
【００２１】
しかし、前述の特許文献に提案されている構造は、単独で使用される画像形成装置に係るものであり、外付けの付属装置を接続可能な画像形成装置を前提としているものではなく、付属装置を接続可能な画像形成装置におけるジャム処理の作業性の低下、あるいは、画像形成装置の設置面積の増大化、に対応できる技術ではなかった。
【特許文献１】特開２００４−５０４３８号公報
【発明の開示】
【発明が解決しようとする課題】
【００２２】
本発明は、このような従来の問題点を解決するためになされたものであり、外付けの付属装置を接続可能であり、付属装置を接続する接続面に開口部を有し、開口部を被覆あるいは開放する開閉扉を有する画像形成装置において、設置に際して開閉扉の開閉のために必要とする面積が小さく、付属装置を接続したときのジャム処理の作業性の良い画像形成装置を提供する。
【課題を解決するための手段】
【００２３】
前記課題は、以下の手段により達成される。
（１）外付けの付属装置を接続可能な、周囲を被装部材にて被装された画像形成装置であり、
前記被装部材の前記付属装置を接続する接続面に開口部を有し、
該開口部を被覆あるいは開放する開閉扉と、
前記開閉扉の開閉に際し、前記開閉扉を前記接続面に平行な方向に案内する案内手段と、
を有することを特徴とする画像形成装置。
（２）前記案内手段は、前記開閉扉を前記開口部を被覆した位置から移動する際に、前記接続面に平行な方向に案内するに先だって前記接続面に交差する方向に案内するものであることを特徴とする（１）に記載の画像形成装置。
（３）前記開閉扉は、前記画像形成装置の機構部が配されたものであることを特徴とする（１）または（２）に記載の画像形成装置。
（４）前記開閉扉は少なくとも一つの折り曲げ部を有し、該折り曲げ部で折り曲げ可能であることを特徴とする（１）または（２）に記載の画像形成装置。
【発明の効果】
【００２４】
特許請求の範囲に記載の発明により、設置に必要な面積が小さく、また、外付けの付属装置を接続したときのジャム処理の作業性の良い画像形成装置を提供できる。
【発明を実施するための最良の形態】
【００２５】
以下、本発明の画像形成装置に関する実施の形態を、図を参照して説明する。なお、本発明の画像形成装置は以下の実施の形態に限定されるものではない。
【００２６】
図１は、外付けの付属装置を接続可能な画像形成装置の構成図である。Ａは画像形成装置であり、図示のように外付けの大容量給紙装置ＬＴや、後処理装置ＦＳを接続して画像形成システムを構成すること可能である。画像形成システムは、接続した大容量給紙装置ＬＴや後処理装置ＦＳを画像形成装置Ａの画像形成に連係して動作させることにより、大量の画像形成や、画像形成された記録紙の後処理を効率よく実行できる。
【００２７】
画像形成装置Ａは、画像形成部１と、定着装置９と、記録紙搬送系と、を有している。画像形成部１は、像担持体２の周辺に配置された帯電手段３、像露光手段４、現像装置５、転写手段６、除電手段７Ａ、分離爪７Ｂ、クリーニング手段８等から構成されている。
【００２８】
記録紙搬送系は、記録紙Ｓを画像形成部１に給紙する、給紙カセット１０、第１給紙手段１１、第２給紙手段（レジストローラ）１２、を有する給紙機構部、画像を転写された記録紙Ｓを画像形成部１から定着装置９に搬送する搬送手段１３、定着装置９にて画像を定着された記録紙Ｓ排紙する排紙手段１４、記録紙Ｓの表裏を反転させて搬送する反転搬送部１５を有する。
【００２９】
第１給紙手段１１は、複数の給紙手段を有し、複数の給紙カセット１０に収容される複数種のサイズの記録紙Ｓを１枚ずつ分離し給紙する。
【００３０】
自動原稿送り装置ＤＦの原稿台上に載置された原稿ｄはＤＦ給紙手段２１により搬送され、画像読取装置により原稿画像が読み取られる。
【００３１】
画像形成部１において、帯電、露光、現像、転写、分離、クリーニング等の処理が行われる。給紙カセット１０から給送された記録紙Ｓは転写手段６により画像が転写される。転写された画像を担持した記録紙Ｓは、定着装置９により定着され、排紙手段１４により排紙口１９から排出される。なお、定着後の記録紙Ｓは、必要に応じて、反転搬送部１５を経由して、表裏を反転させての排出、あるいは記録紙Ｓの両面に画像形成を行っての排出が行われる。
【００３２】
大容量給紙装置ＬＴは、大量の記録紙を収納可能であり、画像形成装置Ａに接続されたとき、画像形成装置Ａの動作に連動して大量の画像形成を、記録紙の補給なしに連続して実行することを可能にする。
【００３３】
大容量給紙装置ＬＴは画像形成装置Ａの給紙動作に連動して動作させるために画像形成装置Ａの第２給紙手段（レジストローラ）１２の近傍、図示右側面に接続される。画像形成装置Ａの右側面が、大容量給紙装置ＬＴを接続する接続面である。大容量給紙装置ＬＴのＬＴ給紙手段２０に収納された記録紙Ｓは、画像形成装置Ａの給紙口１８を経由して第２給紙手段１２に給送される。
【００３４】
後処理装置ＦＳはフィニッシャーであり、画像形成装置Ａに接続されたとき、画像形成装置Ａの動作に連動して画像形成装置Ａから排出された記録紙Ｓを受け入れて、例えば、整列、表紙等の付加、綴じ針の打針等の後処理を行う。
【００３５】
後処理装置ＦＳは画像形成装置Ａの排紙動作に連動して動作させるために画像形成装置Ａの排紙手段１４の近傍、図示左側面に接続される。画像形成装置Ａの左側面が、後処理装置ＦＳを接続する接続面である。
【００３６】
図示した後処理装置ＦＳは、入口搬送部３０、シフトユニット３１、スタッカユニット３２、ステイプルユニット３３、表紙給紙手段３４、及び排紙手段３５を有する。後処理装置ＦＳは、画像形成装置Ａの排紙口１９から排出される記録紙Ｓを受入れ、受け入れた複数枚の記録紙Ｓに所定の表紙、裏表紙を重ね合わせたり複数枚の記録紙Ｓの中間に所定の記録紙を挿入したり、あるいは、所定枚数の記録紙Ｓに綴じ針を打針して綴じ合わせ、冊子を形成する等の後処理を施して排紙する。
【００３７】
なお、画像形成装置Ａにおける大容量給紙装置ＬＴおよび後処理装置ＦＳを接続するそれぞれの接続面には後述する開口部および開閉扉が配されており、画像形成装置Ａに接続された大容量給紙装置ＬＴおよび後処理装置ＦＳは、それぞれの接続面に配された開閉扉の開閉に際し、開閉に支障のない位置まで退避させることが可能である。
＜実施の形態１＞
図２は、本発明の実施の形態１に係る画像形成装置Ａの外観図である。図２（ａ）は画像形成装置Ａの正面図であり、図２（ｂ）は左側面図、図２（ｃ）は右側面図である。
【００３８】
画像形成装置Ａは、内蔵する各機構部の保護、および、ユーザの安全面の配慮から、外周面を被装部材１００にて被装して構成される。
【００３９】
被装部材１００の一部は、各機構部を被覆する位置と、各機構部を露呈する位置と、を移動可能に構成され、通常の画像形成時には各機構部を被覆する位置に配置しておき、内部の点検や整備、あるいはジャム処理等、必要なときにはユーザの操作により各機構部を露呈あるいは被覆する位置に移動させることができる。
【００４０】
図２（ａ）における１００Ａは正面扉であり、正面扉１００Ａは、通常の画像形成時には閉じておき、トナー補給や、画像形成部１あるいは定着装置９の点検に際しては、開いて画像形成部１あるいは定着装置９を露呈できる。また、１００Ｂ1〜Ｂ3はカセット１０に記録紙を補給する際にユーザにより開閉される記録紙補給扉である。
【００４１】
画像形成装置Ａの左側面は、後処理装置ＦＳ等の付属装置を接続する接続面であり、図２（ｂ）に示すように排紙口１９の下方に左側面扉１１０ＤＬが配されている。
【００４２】
後処理装置ＦＳを接続する接続面に配された左側面扉１１０ＤＬは、特許請求の範囲に記載の開閉扉であり、ユーザの操作により、左側の接続面に配された開口部１００ＨＬを被覆した位置と、開口部１００ＨＬを開放した位置との間を移動することができる。開口部１００ＨＬが開放されたときには開口部１００ＨＬから排紙手段１４および反転搬送部１５が露呈される。
【００４３】
左側面扉１１０ＤＬには引き手１１０ＤＬＨが配されており、ユーザは引き手１１０ＤＬＨに指をかけて図示矢印ＸＬ方向、すなわち画像形成装置の正面手前側に引くことにより、左側面扉１１０ＤＬを開口部１００ＨＬを被覆した位置から移動して開口部１００ＨＬを開放することができる。開放された開口部１００ＨＬから排紙手段１４および反転搬送部１５が露呈されるのでユーザは必要個所の点検やジャム処理を行うことができる。
【００４４】
同様に、画像形成装置Ａの右側面は大容量給紙装置ＬＴ等の付属装置を接続する接続面であり、図２（ｃ）に示すように給紙口１９の下方に右側面扉１１０ＤＲが配されている。
【００４５】
大容量給紙装置ＬＴを接続する接続面に配された右側面扉１１０ＤＲは、特許請求の範囲における開閉扉であり、ユーザの操作により、右側の接続面に配された開口部１００ＨＲを被覆した位置と、開口部１００ＨＲを開放した位置との間を移動することができる。開口部１００ＨＲが開放されたときには開口部１００ＨＲから第１給紙手段１１が露呈される。
【００４６】
右側面扉１１０ＤＲには引き手１１０ＤＲＨが配されており、ユーザは引き手１１０ＤＲＨに指をかけて図示矢印ＸＲ方向、すなわち画像形成装置の正面手前側に引くことにより、左側面扉１１０ＤＲを開口部１００ＨＲを被覆した位置から移動して開口部１００ＨＲを開放することができる。開放された開口部１００ＨＲから給紙機構部が露呈されるのでユーザは必要個所の点検やジャム処理を行うことができる。
【００４７】
以下、画像形成装置Ａの左側の接続面に配した左側面扉１１０ＤＬの詳細について図３〜図６を参照して説明する。なお右側面扉１１０ＤＲは、左側面扉１１０ＤＬとは配置位置および移動の左右方向が逆となる以外は構成の技術思想は同一であるので、独立した説明は省略する。
【００４８】
左側面扉１１０ＤＬは、開口部１００ＨＬを被覆する位置と開放した位置との間を移動可能であり、移動を案内する案内手段を介して画像形成装置Ａの左側の接続面に配される。
【００４９】
図３は、本発明の実施の形態１に係る左ガイド板１１３Ｌを説明する図である。図３に示すように、実施の形態１に係るガイド板１１３Ｌは金属板の中央部にガイド穴１１３ＬＧを配した形態に構成される。ガイド穴１１３ＬＧは左ガイド板１１３Ｌの長手方向に沿って形成された長穴であり、その幅方向寸法は後述する左側面扉本体１１１ＤＬに配したガイドローラ１１１ＲＬが緩挿可能に構成される。
【００５０】
左ガイド板１１３Ｌは左側面扉１１０ＤＬの移動を案内する案内手段として機能する部材であるとともに、左側面扉１１０ＤＬを支持する部材としても機能する。
【００５１】
実施の形態１においては、２個の左ガイド板１１３Ｌが画像形成装置Ａの開口部１００ＨＬを挟む上下位置にそれぞれの面を対向し、それぞれのガイド穴１１３ＬＧの長手方向が、画像形成装置Ａの左側の接続面に平行に配される。そして、画像形成装置Ａに配された左ガイド板１１３Ｌのガイド穴１１３ＬＧに左側面扉本体１１１ＤＬのガイドローラ１１１ＲＬが緩挿されたときに、左ガイド板１１３Ｌは左側面扉本体１１１ＤＬを支持すると共に、左側面扉本体１１１ＤＬの、ガイドローラ１１１ＲＬをガイド穴１１３ＬＧに沿っての移動、すなわち左側面扉本体１１１ＤＬの被装部材の表面に平行な方向への移動を案内する。
【００５２】
図４は、左ガイド板１１３Ｌの画像形成装置Ａへの取付を説明する図である。図４は左ガイド板１１３Ｌが取り付けられた状態の画像形成装置Ａを示す図であり、図４（ａ）は、正面図、図４（ｂ）は左側面図、図４（ｃ）は左ガイド板１１３Ｌの取付を画像形成装置Ａの上面側から見た部分断面図である。
【００５３】
図４に示すように、画像形成装置Ａの左側の接続面には、排紙口１９の下方に配された開口部１００ＨＬを挟んで、被装部材１００の一部が切り欠かれた左側面扉取付部１００ＺＬが配されている。開口部１００ＨＬを通して画像形成装置Ａの排紙手段１４（非表示）および反転搬送部１５（非表示）が露呈される。
【００５４】
図４に示すように、２つの左ガイド板１１３Ｌは左側面扉取付部１００Ｚの上下の壁面に、開口部１００ＨＬを挟んで対称な位置に配される。左側面扉取付部１００ＺＬの上側の壁面に配した左ガイド板１１３Ｌを左ガイド板１１３ＬＡ、下側の壁面に配した左ガイド板１１３Ｌを左ガイド板１１３ＬＢと記して区分する。
【００５５】
そして、図４（ｃ）に示すように、左ガイド板１１３ＬＡ、Ｂは、ガイド穴１１３ＬＧを被装部材１００の表面に平行に左側面扉取付部１００ＺＬに配置される。
【００５６】
図５は、実施の形態１に係る左側面扉１１０ＤＬを説明する図である。
【００５７】
図５において、１１１ＤＬは左側面扉本体であり、１１１ＲＬＡ及び１１１ＲＬＢは、左側面扉本体１１１ＤＬに回転可能に配されたガイドローラである。
【００５８】
左側面扉１１０ＤＬは、ガイドローラ１１１ＲＬＡ及びガイドローラ１１１ＲＬＢを前述の左ガイド板１１３ＬＡ、１１３ＬＢのガイド穴１１３ＬＧに緩挿して画像形成装置Ａに支持され、取り付けられる。
【００５９】
ガイドローラ１１１ＲＬＡ及びガイドローラ１１１ＲＬＢを上下の左ガイド板１１３ＬＡ、１１３ＬＢのガイド穴１１３ＬＧに緩挿して取り付けられた左側面扉１１０ＤＬは、ガイドローラ１１１ＲＬＡ及びガイドローラ１１１ＲＬＢを上下のガイド穴１１３ＬＧに案内されて移動が可能である。
【００６０】
１１０ＤＬＨは左側面扉本体１１１ＤＬに配された引き手である。画像形成装置Ａのユーザは、引き手１１０ＤＬＨに指を係合してて左側面扉１１０ＤＬをガイド穴１１３ＬＧの案内の下に移動させること、すなわち、左側面扉１１０ＤＬを開閉することが可能である。
【００６１】
図６は、左側面扉１１０ＤＬの画像形成装置Ａへの取り付けと、その動作の状態を説明する図である。
【００６２】
図６において、図６（ａ）は、左側面扉１１０ＤＬのガイドローラ１１１ＲＬＡ及びガイドローラ１１１ＲＬＢを左ガイド板１１３ＬＡ、１１３ＬＢのガイド穴１１３ＬＡＧに緩挿することにより、左側面扉１１０ＤＬが画像形成装置Ａを取り付けられた状態を示す図である。図６（ａ）の右側の図は左側面扉１１０ＤＬを取り付けた画像形成装置Ａの正面図、左側の下方の図は画像形成装置Ａに取り付けられた左側面扉１１０ＤＬを、画像形成装置Ａの左側面側から見た部分図、左側の上方の図は画像形成装置Ａに取り付けられた左側面扉１１０ＤＬを、画像形成装置Ａの上方から見た部分断面図である。
【００６３】
図６（ａ）に示されるように、左側面扉１１０ＤＬは、ガイドローラ１１１ＲＬＡ及びガイドローラ１１１ＲＬＢがガイド穴１１３ＬＧの図示左端に位置している。
【００６４】
左側面扉１１０ＤＬは、ガイドローラ１１１ＲＬＡ及びガイドローラ１１１ＲＬＢがガイド穴１１３ＬＧの図示左端に位置しているときには、開口部１００ＨＬを被覆する。そして、画像形成装置Ａに通常の画像形成動作を行わせるときには、左側面扉１１０ＤＬを開口部１００ＨＬを被覆する位置に配置する。
【００６５】
ユーザが開口部１００ＨＬを被覆する位置に配置される左側面扉１１０ＤＬを開くときには、左側面扉１１０ＤＬの引き手１１０ＤＬＨに指をかけて、図示矢印方向に、ガイドローラ１１１ＲＬＡ、５Ｂを左ガイド板１１３ＬＡ、１１３ＬＢのガイド穴１１３ＬＧに沿って、ガイドローラ１１１ＲＬＡ、５Ｂが１１３ＬＢのガイド穴１１３ＬＡＧの図示右端に到達するまで移動させる。
【００６６】
左側面扉１１０ＤＬを、図示矢印方向に引くにつれて、左側面扉１１０ＤＬは、左ガイド板１１３ＬＡ、１１３ＬＢのガイド穴１１３ＬＧにより画像形成装置Ａの左側面の被装部材１００の表面に平行な方向に案内されて、開口部１００ＨＬを被覆した位置から移動する。そして、図６（ｂ）に示す、ガイドローラ１１１ＲＬＡ、５Ｂが１１３ＬＢのガイド穴１１３ＬＧの図示右端位置に到達したとき、開口部１００ＨＬは左側面扉１１０ＤＬによる被覆から開放される。
【００６７】
左側面扉１１０ＤＬのガイドローラ１１１ＲＬＡ及びガイドローラ１１１ＲＬＢがガイド穴１１３ＬＧの図示右端に位置しているときには開口部１００ＨＬは開放され、開口部１００ＨＬから排紙手段１４および反転搬送部１５が露呈される。
【００６８】
このように、左側面扉１１０ＤＬを開口部１００ＨＬを被覆した位置から開口部１００ＨＬを開放する位置へ移動させること、すなわち左側面扉１１０ＤＬを開くに際しては、左側面扉１１０ＤＬを画像形成装置Ａの左側面の被装部材１００の表面に平行に移動させることによりなされる。
【００６９】
なお、開口部１００ＨＬを閉じるときには、左側面扉１１０ＤＬを左ガイド板１１３ＬＡ、１１３ＬＢのガイド穴に沿って、ガイドローラ１１１ＲＬＡ及びガイドローラ１１１ＲＬＢがガイド穴１１３ＬＧの図示左端に位置するまで移動させる、すなわち、画像形成装置Ａの左側面の被装部材１００の表面に平行に移動させることにより、開口部１００ＨＬは左側面扉１１０ＤＬにより被覆される。
【００７０】
このように、左ガイド板１１３ＬＡ、１１３ＬＢを介して画像形成装置Ａに配された左側面扉１１０ＤＬは、左ガイド板１１３ＬＡ、１１３ＬＢのガイド穴１１３ＬＧに案内されて画像形成装置の左側面の被装部材１００に平行に移動するので、左側面扉１１０ＤＬを開くに際して、回動で開く蝶番方式の扉に比較してスペースを必要としない。また、画像形成装置の左側の接続面にフィニッシャー等の外付けの付属装置が取り付けられているとき、記録紙のジャム処理等に際し、左側面扉１１０ＤＬを開く必要が生じたときには、付属装置を退避させる必要があるが、蝶番方式の扉を配した画像形成装置に比較して、実施の形態１の、画像形成装置の左側の接続面に平行な方向に移動可能な左側面扉１１０ＤＬを配した画像形成装置とすることで付属装置を退避させる距離は短くて済み、画像形成装置の周囲に確保する空間を小さくするとともに、ジャム処理の作業性の向上を図ることができる。
＜実施の形態２＞
前述の実施の形態１の画像形成装置は、開閉扉の、開口部を被覆した位置と開放した位置との間を移動を、画像形成装置の接続面に平行に案内する案内手段を有するものであったが、案内手段を、開閉扉を開口部を被覆した位置から移動する際に、接続面に平行な方向に案内するに先だって接続面に交差する方向に案内するもの、とすることもできる。
【００７１】
以下、本発明の実施の形態２として、開閉扉を開口部を被覆した位置から移動する際に、接続面に平行な方向に案内するに先だって接続面に交差する方向に案内する案内手段を有する画像形成装置について、開閉扉を画像形成装置の左側面に配した例を図７〜図１１を参照して説明する。
【００７２】
図７は、本発明の実施の形態２に係る画像形成装置Ａの外観図である。図７（ａ）は画像形成装置Ａの正面図であり、図７（ｂ）は左側面図である。
【００７３】
画像形成装置Ａは、内蔵する各機構部の保護、および、ユーザの安全面の配慮から、外周面を被装部材１００にて被装して構成される。
【００７４】
画像形成装置Ａの左側面は付属装置を接続する接続面であり、図７（ｂ）に示すように左側面扉１２０ＤＬが配されている。
【００７５】
左側面扉１２０ＤＬは、開閉扉であり、ユーザの操作により、被装部材に配された開口部１００ＨＬを被覆した位置と、開口部１００ＨＬを開放した位置との間を移動することができる。開口部１００ＨＬは排紙手段１４および反転搬送部１５に相対する部位に配され、開放されたときには開放された開口部１００ＨＬから排紙手段１４および反転搬送部１５が露呈される。左側面扉１２０ＤＬには引き手１２０ＤＬＨが配されており、ユーザは引き手１２０ＤＬＨに指をかけて図示矢印ＸＬ方向、すなわち画像形成装置の正面手前側に引くことにより、左側面扉１２０ＤＬを開口部１００ＨＬを被覆した位置から移動して開口部１００ＨＬを開放することができる。開放された開口部１００ＨＬから排紙手段１４および反転搬送部１５が露呈されるのでユーザは開口部１００ＨＬから必要個所の点検やジャム処理を行うことができる。
【００７６】
左側面扉１２０ＤＬは、開口部１００ＨＬを被覆した位置と開放した位置との間を移動可能であり、移動を案内する案内手段を介して画像形成装置Ａに配される。
【００７７】
図８は、本発明の実施の形態２に係る左ガイド板１２３Ｌを説明する図である。左ガイド板１２３Ｌは左側面扉１２０ＤＬの移動を案内する案内手段として機能する部材であるとともに、左側面扉１２０ＤＬを支持する部材としても機能する。
【００７８】
図８に示すように、実施の形態２におけるガイド板１２３Ｌは金属板の中央部にガイド穴１２３ＬＧを配した形態に構成される。ガイド穴１２３ＬＧは、左ガイド板１２３Ｌの長手方向に沿った直線形状をなして形成された長穴部Ｐと、長穴部Ｐに所定の角度を有して交差した長穴部Ｑとからなる長穴であり、長穴部Ｐと長穴部Ｑのそれぞれの幅方向寸法は後述する左側面扉本体１２１ＤＬに配したガイドローラ１２１ＲＬが緩挿可能に形成される。
【００７９】
そして、長穴部Ｑは、Ｑ詳細に示すように、ガイド穴１２３ＬＧに緩挿したガイドローラ１２１ＲＬが長穴部Ｑの終端に位置するとき、長穴部Ｑの終端に位置するガイドローラ１２１ＲＬの中心をとおり長穴部Ｐの中心線ＣＬPに平行な直線Ｌと、長穴部Ｐの中心線と、の距離ｒが、後述する左側面扉本体１２１ＤＬの厚さｔよりも大きい寸法に構成される。
【００８０】
実施の形態２においては、２個の左ガイド板１２３Ｌが画像形成装置Ａの接続面の開口部１００ＨＬを挟む上下位置にそれぞれの面を対向し、長穴部Ｐの長手方向が、画像形成装置Ａの左側の接続面に平行になるように、また、左側面扉１２０ＤＬを２個の左ガイド板１２３Ｌに取り付けて、ガイド穴１２３ＬＧに緩挿した左側面扉１２０ＤＬのガイドローラ１２１ＲＬが長穴部Ｑの終端に位置させたとき、左側面扉１２０ＤＬの表面が画像形成装置Ａの接続面と同一の高さになるように配される。
【００８１】
左ガイド板１２３Ｌが画像形成装置Ａに配されたとき、長穴部Ｐは、画像形成装置Ａの左側の接続面に平行に配置され、左側面扉１２０ＤＬを移動させるとき、移動の方向を接続面に平行な方向に案内する案内手段として機能し、長穴部Ｒは、左側面扉１２０ＤＬを接続面に交差する方向に案内する案内手段として機能する。
【００８２】
図９は、左ガイド板１２３Ｌの画像形成装置Ａへの取付を説明する図である。図９は左ガイド板１２３Ｌが取り付けられた状態の画像形成装置Ａを示す図であり、図９（ａ）は、正面図、図ｂ（ｂ）は左側面図、図９（ｃ）は左ガイド板１２３Ｌの取付を画像形成装置Ａの上面側から見た部分断面図である。
【００８３】
図９（ａ）に示すように、画像形成装置Ａの左側の接続面には、開口部１００ＨＬを囲んで被装部材１００の一部を切り欠かれた左側面扉取付部１００ＺＬが配されている。開口部１００ＨＬを通して画像形成装置Ａの排紙手段１４（非表示）および反転搬送部１５（非表示）が露呈される。
【００８４】
図９に示すように、２つの左ガイド板１２３Ｌは左側面扉取付部１００Ｚの上下の壁面に、開口部１００ＨＬを挟んで対称な位置に配される。左側面扉取付部１００ＺＬの図示上側の壁面に配した左ガイド板１２３Ｌを左ガイド板１２３ＬＡ、図示下側の壁面に配した左ガイド板１２３Ｌを左ガイド板１２３ＬＢと記して区分する。
【００８５】
そして、図９（ｃ）に示すように、左ガイド板１２３ＬＡ、１２３ＬＢは、ガイド穴１１３ＬＧの長穴部Ｐが接続面に平行に、かつ、それぞれのガイド穴１２３ＬＧが上面から見たときに互いに重なるように左側面扉取付部１００ＺＬに配置される。このように配置されたときに、ガイド穴１１３ＬＧの長穴部Ｑは接続面に交差する方向に配置される。
【００８６】
図１０は、本発明の実施の形態２に係る左側面扉１２０ＤＬを説明する図である。
【００８７】
図１０において、１２１ＤＬは左側面扉本体であり、１１２ＤＬＡおよび１１２ＤＬＢはそれぞれ左側面扉本体１２１ＤＬの図示上下端面部に固定された左側面扉アームである。
【００８８】
また、ガイドローラ１２１ＲＬＡ及びガイドローラ１２１ＲＬＢは、それぞれ左側面扉アーム１１２ＤＬＡおよび１１２ＤＬＢに回転可能に配されたガイドローラである。
【００８９】
左側面扉１２０ＤＬは、ガイドローラ１２１ＲＬＡ及びガイドローラ１２１ＲＬＢを前述の左ガイド板１２３ＬＡ、１２３ＬＢのガイド穴１２３ＬＧに緩挿されて画像形成装置Ａに取り付けられる。
【００９０】
ガイドローラ１２１ＲＬＡ及びガイドローラ１２１ＲＬＢを上下の左ガイド板１２３ＬＡ、１２３ＬＢのガイド穴１２３ＬＧに緩挿して取り付けられた左側面扉１２０ＤＬは、ガイドローラ１２１ＲＬＡ及びガイドローラ１２１ＲＬＢを上下のガイド穴１２３ＬＧに案内されて移動が可能である。
【００９１】
なお、前述のように、左側面扉本体１２１ＤＬの厚さｔは、ガイド板１２３Ｌの長穴部Ｑに緩挿したガイドローラ１２１ＲＬが長穴部Ｑの終端に位置するときのガイドローラ１２１ＲＬの中心をとおりガイド板１２３Ｌの長穴部Ｐの中心線に平行な直線Ｌと、ガイド板１２３Ｌの長穴部Ｐの中心線と、の距離ｒ、よりも小さい寸法に構成される。
【００９２】
１２０ＤＬＨは左側面扉本体１２１ＤＬに配された引き手である。
【００９３】
図１１は、左側面扉１２０ＤＬの画像形成装置Ａへの取り付けと、その動作の状態を説明する図である。図１１において、図１１（ａ）は、左側面扉１２０ＤＬのガイドローラ１２１ＲＬＡ及びガイドローラ１２１ＲＬＢを左ガイド板１２３ＬＡ、１２３ＬＢのガイド穴１２３ＬＧに緩挿することにより、画像形成装置Ａ取り付けられた状態を示す図である。図１１（ａ）の右側の図は左側面扉１２０ＤＬを取り付けた画像形成装置Ａの正面図、左側の下方の図は画像形成装置Ａに取り付けられた左側面扉１２０ＤＬを、画像形成装置Ａの左側面側から見た部分図、左側の上方の図は画像形成装置Ａに取り付けられた左側面扉１２０ＤＬを、画像形成装置Ａの上方から見た部分断面図である。
【００９４】
図１１（ａ）に示される左側面扉１２０ＤＬは、ガイドローラ１２１ＲＬＡ及びガイドローラ１２１ＲＬＢがガイド穴１２３ＬＧにおける長穴部Ｑの終端位置に位置しており、左側面扉１２０ＤＬは、ガイドローラ１２１ＲＬＡ及びガイドローラ１２１ＲＬＢが、ガイド穴１２３ＬＧの長穴部Ｑの終端位置に位置しているときには、開口部１００ＨＬを被覆する。そして、左側面扉１２０ＤＬは、開口部１００ＨＬを被覆した位置にあるときには、図１１（ａ）に示されるように、その表面が、画像形成装置Ａの左側の接続面と同一になる好ましい外観で配置される。画像形成装置Ａに通常の画像形成動作を行わせるときには、左側面扉１２０ＤＬを開口部１００ＨＬを被覆する位置に配置する。
【００９５】
ユーザが開口部１００ＨＬを被覆した位置から左側面扉１２０ＤＬを開くときには、左側面扉１２０ＤＬの引き手１２０ＤＬＨに指をかけて、ガイドローラ１２１ＲＬＡ、５Ｂを左ガイド板１２３ＬＡ、１２３ＬＢのガイド穴１２３ＬＧの長穴部Ｑに沿って、ガイド穴１２３ＬＧにおける長穴部Ｑと長穴部Ｐとが交差する部位に到達する位置まで引き出す。左ガイド板１２３ＬＡ、１２３ＬＢのガイド穴１２３ＬＧの長穴部Ｑは、左側面扉１２０ＤＬのガイドローラ１２１ＲＬＡ、５Ｂを、接続面に交差する方向に案内する。
【００９６】
図１１（ｂ）は、左側面扉１２０ＤＬが開口部１００ＨＬを被覆した位置から、ガイドローラ１２１ＲＬＡ及びガイドローラ１２１ＲＬＢが、左ガイド板１２３ＬＡ、１２３ＬＢのガイド穴１２３ＬＧの長穴部Ｑに沿って、ガイド穴１２３ＬＧにおける長穴部Ｑと長穴部Ｐとが交差する部位に到達した状態を示す図である。長穴部Ｑにより、被装部材の表面に交差する方向に案内されて長穴部Ｑと長穴部Ｐとが交差する部位に到達した左側面扉１２０ＤＬは、長穴部Ｑがガイドローラ１２１ＲＬの長穴部Ｐの中心線に向かって移動する距離ｒが、左側面扉本体１２１ＤＬの厚みｔよりも大きい寸法に構成されているので、左側面扉１２０ＤＬは開口部１００ＨＬを被覆した位置から接続面の方向に左側面扉本体１２１ＤＬの厚さｔよりも大きい距離ｒを移動することにより、左側面扉本体１２０ＤＬは接続面から離間した状態に配置される。
【００９７】
次いで、ユーザは、接続面から離間した状態に配置された左側面扉１２０ＤＬを、左ガイド板１２３ＬＡ、１２３ＬＢのガイド穴１２３ＬＧの長穴部Ｐに沿って右方向に引いて、ガイドローラ１２１ＲＬＡ、５Ｂが左ガイド板１２３ＬＡ、１２３ＬＢのガイド穴１２３ＬＧの長穴部Ｐの図示右端に到達するまで移動させる。
【００９８】
左側面扉１２０ＤＬを、左ガイド板１２３ＬＡ、１２３ＬＢのガイド穴１２３ＬＧの長穴部Ｐに沿って右方向に引くにつれて、左側面扉１２０ＤＬのガイドローラ１２１ＲＬＡ、５Ｂは、左ガイド板１２３ＬＡ、１２３ＬＢのガイド穴１２３ＬＧの長穴部Ｐに案内されて、画像形成装置Ａの左側の接続面に平行に、開口部１００ＨＬを被覆した位置から移動する。そして、ガイドローラ１２１ＲＬＡ、５Ｂが１２３ＬＢのガイド穴１２３ＬＧの長穴部Ｐの終端位置に到達したとき、開口部１００ＨＬは左側面扉１２０ＤＬによる被覆から開放される。この位置が、図１１（ｃ）に示される位置であり、開放された開口部１００ＨＬから排紙手段１４および反転搬送部１５が露呈される。
【００９９】
このように、左側面扉１２０ＤＬを開口部１００ＨＬを被覆した位置から開口部１００ＨＬを開放する位置へ移動させること、すなわち、開口部１００ＨＬを開放するには、左側面扉１２０ＤＬを、先ず、左側面の接続面から離間した状態まで引き出し、その後、左側面扉１２０ＤＬを、画像形成装置Ａの左側の接続面に平行に移動させることによりなされる。
【０１００】
また、開口部１００ＨＬを被覆するときには、先ず、開口部１００ＨＬを開放した位置にある左側面扉１２０ＤＬを、左ガイド板１２３ＬＡ、１２３ＬＢのガイド穴１２３ＬＧの長穴部Ｐの案内により、画像形成装置Ａの左側面の被装部材１００の表面に対して平行にガイド穴１２３ＬＧにおける長穴部Ｑと長穴部Ｐとが交差する部位に到達するまで移動させる。
【０１０１】
次いで、ガイドローラ１２１ＲＬＡ、５Ｂを左ガイド板１２３ＬＡ、１２３ＬＢのガイド穴１２３ＬＧの長穴部Ｑにより被装部材の表面に交差する方向に案内させて、左側面扉１２０ＤＬを開口部１００ＨＬを被覆する位置まで移動させる。開口部１００ＨＬを被覆する位置に移動した左側面扉１２０ＤＬは、その表面が、画像形成装置Ａの左側面の被装部材１００の表面と同一となり、開口部１００ＨＬを被覆する。
【０１０２】
このように、左側面扉１２０ＤＬを被装部材の表面に平行に案内する案内手段に加えて左側面扉１２０ＤＬを被装部材の表面に交差する方向に案内する案内手段を有することにより、左側面扉１２０ＤＬは、開口部１００ＨＬを被覆した位置にあるときには、その表面が、画像形成装置Ａの左側の接続面と同一になる好ましい外観で配置することができる。
【０１０３】
左側面扉１２０ＤＬを開くに際しては、先ず、画像形成装置Ａの左側の接続面の被装部材１００の表面と同一平面をなして配置されている開口部１００ＨＬを被覆した位置にある左側面扉１２０ＤＬを、左側面の被装部材１００に対して突出した状態に引き出し、次いで、開口部１００ＨＬを開放する位置まで、引き出された被装部材の表面に平行に移動するので、左側面扉１２０ＤＬを開くに際して、回動により開く蝶番方式の扉に比較してスペースを必要としない。また、画像形成装置に左側の接続面にフィニッシャー等の外付けの付属装置が取り付けられているときに、記録紙のジャム処理等、左側面扉１２０ＤＬを開く必要が生じた場合には、付属装置を退避させる必要があるが、蝶番方式の扉を配した画像形成装置に比較して、実施の形態２の画像形成装置の左側の接続面に平行に移動可能な左側面扉１２０ＤＬを配した画像形成装置とすることで付属装置を退避させる距離は短くて済み、画像形成装置の周囲に確保する空間を小さくするとともに、ジャム処理の作業性の向上を図ることができる。
＜実施の形態３＞
本発明の実施の形態３として、前述の実施の形態１、あるいは、実施の形態２における開閉扉に、画像形成装置の一部の機構部を固定し、開閉扉の移動とともに開閉扉に固定された画像形成装置の一部の機構部を画像形成装置から移動するように構成することも可能である。たとえば、反転搬送部１５を左側面扉に固定し、左側面扉が開口部１００ＨＬを被覆した位置にあるときには、反転搬送部１５にて記録紙の反転動作をさせ、開口部を開放するときには、左側面扉を移動するとともに左側面扉に固定された反転搬送部１５を引き出すように構成する。このような構成にすることにより、開閉扉を移動して開口部を開放し、開口部から露呈された内部機構部の点検やジャム処理を行うと共に、左側面扉とともに引き出された反転搬送部１５の点検やジャム処理を容易に行える画像形成装置が提供できる。
【０１０４】
なお、開閉扉に固定される機構部は反転搬送部に限定されるものではない。
＜実施の形態４＞
前述の実施の形態１、あるいは実施の形態２における開閉扉は、複数の部材を折り曲げ可能に連結したものとすることも可能である。
【０１０５】
すなわち、開閉扉を複数個に分割し、分割した複数個の被覆部材本体の端部を、例えば、蝶番手段を介して折り曲げ可能に連結して折り曲げ部とし、連結された複数個の被覆部材本体を、平面状に連結した状態（折り曲げない状態）と、折り曲げ部にて折り曲げた状態と、に配置可能に構成する。
【０１０６】
折り曲げ部にて折り曲げ可能である開閉扉は、画像形成装置の開口部を被覆した位置にあるときには、被覆部材本体を平面状に連結した状態に配置し、画像形成装置の開口部を開放した位置にあるときには折り曲げて開閉扉の画像形成装置からの突出を小さくすることができる。
【０１０７】
以下、本発明の実施の形態４の一例として、前述の実施の形態１における左側面扉に一つの折り曲げ部を配し、折り曲げ可能とした構成について説明する。
【０１０８】
図１２は、本発明の実施の形態４に係る左側面扉１３０ＤＬを説明する図である。実施の形態４における左側面扉１３０ＤＬを構成する左側面扉本体は左側面扉本体Ａ１３１ＤＬＡと、左側面扉本体Ｂ１３１ＤＬＢの２つに分割され、それぞれの端面部が蝶番手段１３１ＨＡと蝶番手段１３１ＨＢを介して連結される。
【０１０９】
そして、蝶番手段を介して連結された、左側面扉本体Ａ１３１ＤＬＡと、左側面扉本体Ｂ１３１ＤＬＢとは、それぞれの端面を突き合わせて平面状に配置することと、蝶番手段１３１ＨＡと１３１ＨＢを回動軸として回動させ、折り曲げて配置することが可能である。この蝶番手段１３１ＨＢを介して連結された部位が折り曲げ部となる。
【０１１０】
図１２（ａ）は左側面扉本体Ａ１３１ＤＬＡと、左側面扉本体Ｂ１３１ＤＬＢとが平面状に配置された状態、図１２（ａ）は左側面扉本体Ａ１３１ＤＬＡと、左側面扉本体Ｂ１３１ＤＬＢとが折り曲げられて配置された状態を示す。
【０１１１】
なお、実施の形態４における左側面扉は２つに分割されたものであるが、分割の数は２に限定されるものではなく３以上、すなわち折り曲げ部は２以上でも良い。
【０１１２】
図１２に示した１３１ＲＬＡ及び１３１ＲＬＢは、左側面扉本体Ａ１３１ＤＬＡに回転可能に配されたガイドローラである。
【０１１３】
左側面扉１３０ＤＬは、ガイドローラ１３１ＲＬＡ及びガイドローラ１３１ＲＬＢを前述の左ガイド板１１３ＬＡ、１１３ＬＢのガイド穴１１３ＬＡＧ、１１３ＬＢＧに緩挿されて画像形成装置Ａに取り付けられる。
【０１１４】
図１３は、左側面扉１３０ＤＬの画像形成装置Ａへの取り付けと、その動作の状態を説明する図である。図１３において、図１３（ａ）は、左側面扉１３０ＤＬのガイドローラ１３１ＲＬＡ及びガイドローラ１３１ＲＬＢを左ガイド板１１３ＬＡ、１１３ＬＢのガイド穴１１３ＬＡＧに緩挿することにより、画像形成装置Ａに取り付けられた状態を示す。図１３（ａ）に示される左側面扉１３０ＤＬは、ガイドローラ１３１ＲＬＡ及びガイドローラ１３１ＲＬＢがガイド穴１１３ＬＧの図示左端に位置しており、左側面扉１３０ＤＬの開口部１００ＨＬを被覆する。左側面扉１３０ＤＬは開口部１００ＨＬを被覆した位置にあるときには、左側面扉本体Ａ１３１ＤＬＡと、左側面扉本体Ｂ１３１ＤＬＢとをそれぞれの端面を突き合わせて平面状に配置した状態として開口部１００ＨＬを被覆する。そして、画像形成装置Ａに通常の画像形成動作を行わせるときには、左側面扉１３０ＤＬを開口部１００ＨＬを被覆する位置に配置する。
【０１１５】
ユーザが開口部１００ＨＬを被覆した位置に配置される左側面扉１３０ＤＬを開くときには、引き手１３０ＤＬＨに指をかけて、ガイドローラ１３１ＲＬＡ、５Ｂを左ガイド板１１３ＬＡ、１１３ＬＢのガイド穴１１３ＬＧに沿って、ガイドローラ１３１ＲＬＡ、５Ｂが１１３ＬＢのガイド穴１１３ＬＡＧの図示右端に到達するまで移動させる。
【０１１６】
図１３（ｂ）は、ガイドローラ１３１ＲＬＡ、５Ｂが１１３ＬＢのガイド穴１１３ＬＧの図示右端に到達した状態を示す図である。図１３（ｂ）に示される左側面扉１３０ＤＬは、開口部１００ＨＬを開放した位置にあり、開口部１００ＨＬから排紙手段１４および反転搬送部１５が露呈される。
【０１１７】
左側面扉１３０ＤＬは、開口部１００ＨＬを開放するに際し、画像形成装置の左側の接続面に平行に移動するので、左側面扉１３０ＤＬを開くに際して、回動により開く蝶番方式の扉に比較してスペースを必要としない。また、外付けの付属装置が取り付けられているとき、左側面扉１３０ＤＬを開くときには、付属装置を退避させる必要があるが、蝶番方式の扉を配した画像形成装置に比較して、実施の形態４の画像形成装置とすることで付属装置を退避させる距離は短くて済み、画像形成装置の周囲に確保する空間を小さくすることができる。
【０１１８】
さらに、実施の形態４においては、左側面扉１３０ＤＬが開口部１００ＨＬを開放する位置まで引き出されたとき、左側面扉本体Ｂ１３１ＤＬＢを、折り曲げ部の蝶番手段１３１ＨＡと１３１ＨＢを回動軸として回動させて折り曲げることができる。図１３（ｃ）は、開口部１００ＨＬを開放する位置まで引き出された左側面扉１３０ＤＬの左側面扉本体Ｂ１３１ＤＬＢを、蝶番手段１３１ＨＡと１３１ＨＢを回動軸として回動させて折り曲げた状態を示す図である。図１３（ｃ）に示されるように、左側面扉本体Ｂ１３１ＤＬＢを折り曲げることにより、開口部１００ＨＬを開放する位置まで引き出された左側面扉１３０ＤＬの画像形成装置Ａの正面側への突出を小さくすることができ、ユーザは開口部１００ＨＬから必要個所の点検やジャム処理を行うにあたり、左側面扉１３０ＤＬに邪魔されることなく、広い空間にて作業を行うことができる。
【図面の簡単な説明】
【０１１９】
【図１】外付けの付属装置を接続可能な画像形成装置の構成図である。
【図２】本発明の実施の形態１に係る画像形成装置Ａの外観図である。
【図３】本発明の実施の形態１に係る左ガイド板１１３Ｌを説明する図である。
【図４】左ガイド板１１３Ｌの画像形成装置Ａへの取付を説明する図である。
【図５】本発明の実施の形態１に係る左側面扉１１０ＤＬを説明する図である。
【図６】左側面扉１１０ＤＬの画像形成装置Ａへの取り付けと、その動作の状態を説明する図である。
【図７】本発明の実施の形態２に係る画像形成装置Ａの外観図である。
【図８】本発明の実施の形態２に係る左ガイド板１２３Ｌを説明する図である。
【図９】左ガイド板１２３Ｌの画像形成装置Ａへの取付を説明する図である。
【図１０】本発明の実施の形態２に係る左側面扉１２０ＤＬを説明する図である。
【図１１】左側面扉１２０ＤＬの画像形成装置Ａへの取り付けと、その動作の状態を説明する図である。
【図１２】本発明の実施の形態４に係る左側面扉１３０ＤＬを説明する図である。
【図１３】左側面扉１３０ＤＬの画像形成装置Ａへの取り付けと、その動作の状態を説明する図である。
【図１４】従来の画像形成装置における記録紙の搬送に係る機構部の配置を示す概念図である。
【図１５】画像形成装置に、外付けの装置を接続した状態を示す概念図である。
【符号の説明】
【０１２０】
１  画像形成部
２  像担持体
３  帯電手段
４  像露光手段
５  現像装置
６  転写手段
９  定着装置
１０  給紙カセット
１１  第１給紙手段、
１２  第２給紙手段（レジストローラ）
１４  排紙手段
１５  反転搬送部
１８  給紙口
１９  排紙口
１００  被装部材
１００Ａ  正面扉
１００Ｂ1〜Ｂ3  記録紙補給扉
１００ＨＬ、１００ＨＲ  開口部
１００ＺＬ  左側面扉取付部
１１０ＤＲ  右側面扉
１１０ＤＬ  左側面扉（実施形態１）
１１３Ｌ  左ガイド板（実施形態１）
１２０ＤＬ  左側面扉（実施形態２）
１２３Ｌ  左ガイド板（実施形態２）
１３０ＤＬ  左側面扉（実施形態４）
１３１Ｈ  蝶番手段（実施形態４）
Ａ  画像形成装置
ＬＴ  大容量給紙装置
ＦＳ  後処理装置
Ｓ  記録紙
【図１】
2009014969.tif 000003
【図２】
2009014969.tif 000004
【図３】
2009014969.tif 000005
【図４】
2009014969.tif 000006
【図５】
2009014969.tif 000007
【図６】
2009014969.tif 000008
【図７】
2009014969.tif 000009
【図８】
2009014969.tif 000010
【図９】
2009014969.tif 000011
【図１０】
2009014969.tif 000012
【図１１】
2009014969.tif 000013
【図１２】
2009014969.tif 000014
【図１３】
2009014969.tif 000015
【図１４】
2009014969.tif 000016
【図１５】
2009014969.tif 000017